(57)【特許請求の範囲】
【請求項１】
少なくとも二方向の棟線が交差配置される傾斜屋根であって、
屋根面が複数の屋根パネルで形成されるとともに、
前記屋根パネルの１つは、平面五角形とされ、
第一の辺が前記棟線が交差する部分に形成される入隅に配置されるとともに、
第二の辺が前記傾斜屋根の登り棟に沿って配置され、
第三の辺が第二の辺と連続して棟線に延びるように配置され、
第四の辺が第三の辺に直交し、前記傾斜屋根の屋根面に沿って、第三の辺と第一の辺とを繋ぐように配置され、
第五の辺が第一の辺と連続して桁側に配置されて、前記屋根パネルの１つの軒先を形成し、
前記軒先側は、前記第一の辺と前記第四の辺の交差部分である前記入隅近傍部分及び前記登り棟近傍部分に支持部分を有するとともに、これらの入隅近傍部分及び登り棟近傍部分の中間位置にも支持部分を有し、
前記各支持部分は、前記屋根パネル裏面に固定された棒状の支持材に配列される
ことを特徴とする傾斜屋根。
【請求項２】
少なくとも二方向の棟線が交差配置される傾斜屋根の施工方法であって、建物本体の上に複数の屋根パネルを並べて屋根面を形成し、前記屋根パネルの一つを、平面五角形とし、第一の辺を前記棟線が交差する部分に形成される入隅に配置するとともに、第二の辺を前記傾斜屋根の登り棟に沿って配置し、第三の辺を第二の辺と連続して棟線に延びるように配置し、第四の辺を第三の辺に直交し、前記傾斜屋根の屋根面に沿って、第三の辺と第一の辺とを繋ぐように配置し、第五の辺を第一の辺と連続して桁側に配置して、前記屋根パネルの１つの軒先を形成させ、前記軒先側は、前記第一の辺と前記第四の辺の交差部分である前記入隅近傍及び前記登り棟近傍の支持部分と、これらの入隅近傍部分及び登り棟近傍部分の中間位置の支持部分とを前記屋根パネル裏面に固定された棒状の支持材に配列し、前記屋根パネルの一つの軒先側を、前記入隅近傍部分及び登り棟近傍部分の中間位置の支持部分を介して前記建物本体に支持することを特徴とする傾斜屋根の施工方法。
【発明の詳細な説明】
【０００１】
【発明の属する技術分野】
本発明は、複数の屋根パネルで形成する傾斜屋根及び傾斜屋根の施工方法に関する。
【０００２】
【背景技術】
住宅等の建物では、パネル及び箱形ユニットによるプレハブ化が進み、このようなプレハブ建物の設計にはＣＡＤシステムの導入が進んでいる。小さなパネル及び大きなパネルを画面上で指定し、そのデータで工場生産し、施工を行うシステム化もなされている。
【０００３】
住宅の建物において、傾斜屋根の場合、屋根パネルを束や受け部材で傾斜支持することで構成される。屋根パネルは、稜線（例えば、棟線や寄屋根の登り棟等）を境にして各平面毎に分割され、更に、各平面においては、搬送や構造上の強度等を考慮して適宜複数の区画に分割される。そして分割された屋根パネルの各々が束などで連結されるとともに、互いに防水接続される。
曲がり屋など、平面Ｌ型に屈曲した屋根形状をもつ建物では、交差方向の棟線の接合部分に出隅と入隅が生じ、当該部位に区画される屋根パネルも複雑な形状となることが多い。
【０００４】
例えば、登り棟と交差部入隅に挟まれた領域では、五角形の屋根パネルが必要になる。
図７及び図８を参照して従来の屋根パネルの場合について説明する。図７では、逆Ｌ形状の屋根１００の全体が示され、屋根１００は、複数の屋根パネル１０１を並べることで屋根面が形成される。屋根１００では、出隅と入隅に区画、配置される位置に屋根パネル１０１Ｇが配置されており、この屋根パネル１０１Ｇは、平面三角形状の屋根パネル１０１Ｇ１と、平面五角形状の屋根パネル１０１Ｇ２とが組み合わされて構成される。
このように分割された屋根パネル１０１Ｇ１と屋根パネル１０１Ｇ２がそれぞれ、束１０２で支持される。
【０００５】
図８において、屋根パネル１０１Ｇ１の端面には受け金具１０３が取り付けられ、裏面には母屋材１０９が取り付けられており、受け金具１０３が建物本体側の受け金具１０６と束１０２の支持部分１０５とで支持されている。
同様に、屋根パネル１０１Ｇ２の端面には受け金具１０４が取り付けられ、裏面には母屋材１１０が取り付けられており、受け金具１０４が建物本体側の受け金具１０６の支持部分１０５と束１０２の支持部分１０５とで支持されている。
【０００６】
図９及び図１０には異なる従来例が示されている。この従来例は図７及び図８で示される従来例と基本構成が同じであるが、出隅側では、交差方向の各棟線の高さが異なる点で、前述の従来例と異なる。
そのため、図９の平面図で最もよく分かるような凹み１０１ＧＡを含む平面六角形の屋根パネル１０１Ｇが必要となり、この屋根パネル１０１Ｇは、平面矩形状の屋根パネル１０１Ｇ３と、平面五角形状の屋根パネル１０１Ｇ４とが組み合わされて構成される。
【０００７】
図１０において、屋根パネル１０１Ｇ３の端面には受け金具１０３が取り付けられ、裏面には母屋材１０７が取り付けられており、受け金具１０３が建物本体側の受け金具１０６の支持部分１０５と束１０２の支持部分１０５とで支持されている。
同様に、屋根パネル１０１Ｇ４の端面には受け金具１０４が取り付けられ、裏面には母屋材１０８が取り付けられており、受け金具１０４が建物本体側の受け金具１０６の支持部分１０５と束１０２の支持部分１０５とで支持されている。
【０００８】
【発明が解決しようとする課題】
しかしながら、前述の各従来例では、屋根パネルが複雑な形状となると、通常の矩形のパネルと同様な四隅での支持では対応が不十分になることがある。
屋根パネル１０１Ｇでは、登り棟線に沿った概略三角形ないし平行四辺形状となるために、軒先側端部の間の幅が広くなり、中間部分の撓みが大きくなるという問題があった。このために、搬送制限寸法以下であるのに、中間で分割し、各々の各端部を支持するようにしなければならない。
【０００９】
つまり、図７及び図８に示す従来例の屋根パネル１００においては、三角形状の屋根パネル部分１０１Ｇ１と、六角形状の屋根パネル部分１０１Ｇ２とに分割する必要があり、図９及び図１０に示す従来例の出隅側の屋根パネル１０１Ｇにおいては、輪郭の凹み部分で五角形状の屋根パネル部分１０１Ｇ４と、矩形状の屋根パネル部分１０１Ｇ３とに分割し、輪郭に凹みがない別個のパネルとして取り扱う必要がある。
そのため、このようなパネル分割により、部材数の増加、管理や製造や搬送の手間が増大するという問題があった。
【００１０】
本発明の目的は、屋根を施工する際に部品点数の減少を図り、管理や製造や搬送の手間を低減し、現場の組立作業を大幅に低減する傾斜屋根及び傾斜屋根の施工方法を提供することである。
【００１１】
【課題を解決するための手段】
そのため、本発明は、形状によって分割をしていた部分を一体のパネルとすることにより、前記目的を達成しようとするものである。
具体的には、本発明の傾斜屋根２は、図面を参照して詳細に説明すると、少なくとも二方向の棟線２１，２２が交差配置される傾斜屋根であって、屋根面３が複数の屋根パネル２０，２０Ｐで形成されるとともに、これらの屋根パネル２０，２０Ｐの１つの屋根パネル２０Ｐは、平面五角形とされ、第一の辺２０Ｑが前記棟線が交差する部分に形成される入隅に配置され、第二の辺２０Ｒが前記傾斜屋根の登り棟に沿って配置され、第三の辺が第二の辺と連続して棟線に延びるように配置され、第四の辺が第三の辺に直交し、前記傾斜屋根の屋根面に沿って、第三の辺と第一の辺とを繋ぐように配置され、第五の辺が第一の辺と連続して桁側に配置されて、前記屋根パネルの１つの軒先を形成し、前記軒先側は、前記第一の辺と前記第四の辺の交差部分である前記入隅近傍部分及び前記登り棟近傍部分に支持部分３３Ａ，３３Ｂを有するとともに、これらの入隅近傍部分及び登り棟近傍部分の中間位置に支持部分３３Ｃを有し、前記各支持部分は、前記屋根パネル裏面に固定された棒状の支持材に配列されることを特徴とする。
【００１２】
また、本発明の傾斜屋根２の施工方法は、少なくとも二方向の棟線２１，２２が交差配置される傾斜屋根２の施工方法であって、建物本体１の上に複数の屋根パネル２０，２０Ｐを並べて屋根面３を形成し、前記屋根パネルの一つの屋根パネル２０、２０Ｐを、平面五角形とし、第一の辺を前記棟線２１，２２が交差する部分に形成される入隅に配置するとともに、第二の辺を前記傾斜屋根の登り棟に沿って配置し、第三の辺を第二の辺と連続して棟線に延びるように配置し、第四の辺を第三の辺に直交し、前記傾斜屋根の屋根面に沿って、第三の辺と第一の辺とを繋ぐように配置し、第五の辺を第一の辺と連続して桁側に配置して、前記屋根パネルの１つの軒先を形成させ、前記軒先側は、前記第一の辺と前記第四の辺の交差部分である前記入隅近傍及び前記登り棟近傍の支持部分３３Ａ，３３Ｂと、これらの入隅近傍部分及び登り棟近傍部分の中間位置の支持部分３３Ｃとを前記屋根パネル裏面に固定された棒状の支持材に配列し、前記屋根パネル２０の一つの軒先側を、前記入隅近傍部分及び登り棟近傍部分の中間位置の支持部分を介して前記建物本体１に支持することを特徴とする。
【００１３】
この構成の本発明では、屋根の形状に応じて屋根パネル２０Ｐを分割することなく、一体化できる部分は一体化することにより、従来に比べて部品点数を減少し、部材の管理、製造、搬送の手間を低減することができる。さらに、屋根の施工にあたっては、屋根パネル２０Ｐの取付作業の作業効率を向上することができる。
本発明では、従来分割していた屋根パネル２０Ｐを一体化することで、軒先側端部の間の幅が広くなって中間部分の撓みが大きくなるとしても、入隅近傍部分及び登り棟近傍部分だけでなく、その中間位置にも支持部分を設けたので、屋根パネル２０が大きくなっても屋根２の荷重を十分に支持することができる。
【００１４】
さらに、この構成では、一体化された屋根パネル２０の裏面全体にわたって支持材３３が固定されているため、屋根パネル２０Ｐが大きくなっても支持材３３そのものも大きくすることができ、屋根パネル２０Ｐの大きさに応じた剛性を得ることができる。さらに、支持材３３は、支持部分３３Ａ，３３Ｂ，３３Ｃを兼ねることになるので、部品点数が減少し、屋根パネルの施工作業がより簡単になる。
【００１９】
【発明の実施の形態】
以下に本発明の一実施形態を図面を参照して詳細に説明する。
図１ないし図３には、本発明の第１実施形態が示されている。
全体構成を示す図１及び図２において、第１実施形態では、基礎の上に施工された建物本体１の上に傾斜屋根２が設けられている。
建物本体１は、建物ユニット１０を複数組み合わせて建てられるものであり、各建物ユニット１０は、それぞれ図示しない柱、天井梁及び床梁から略箱状に形成された骨組みに外壁材や内装材を取り付けて構成される。柱、天井梁及び床梁は建物躯体を構成する。
【００２０】
傾斜屋根２は、二方向の棟線２１、２２が直交するように配置された平面Ｌ字形の屋根である。
傾斜屋根２は、複数の屋根パネル２０と屋根パネル２０Ｐとが並べられて形成されており、これらの屋根パネル２０，２０Ｐの上面は屋根面３とされる。これらの屋根パネル２０，２０Ｐは、それぞれトラックで搬送可能な大きさ、つまり、輸送制限を満たすものである。
屋根パネル２０Ｐは、５つの辺２０Ｑ，２０Ｒ，２０Ｓ，２０Ｔ，２０Ｕからなる平面五角形とされ、その一辺２０Ｑは棟線２１，２２が交差する部分に形成される入隅に配置され、当該一辺２０Ｑと対向する他の一辺２０Ｒは傾斜屋根２の登り棟に沿って配置される。
また、他の一辺２０Ｒと連続して棟線２１に延びるように一辺２０Ｓが配置され、この一辺２０Ｓと一辺２０Ｑとを繋ぐ一辺２０Ｔが配置され、一辺２０Ｑと連続して桁側に一辺２０Ｕが配置される。
【００２１】
図３には屋根パネル２０Ｐの建物本体１への取付構造が示されている。
図３において、屋根パネル２０Ｐの裏面には棒状の支持材３３が互いに対向する辺２０Ｒ，２０Ｔに到達するように固定されている。
この支持材３３は、母屋材として機能するものであり、その入隅近傍部分に支持部分３３Ａが形成され、その登り棟近傍部分に支持部分３３Ｂが形成され、これらの支持部分３３Ａ，３３Ｂの中間位置に支持部分３３Ｃが形成されている。
【００２２】
支持部分３３Ａ，３３Ｂは建物ユニット１０の建物躯体の両端側部にそれぞれ取り付けられた金具３０，３１に支持固定され、支持部分３３Ｃは金具３０，３１の中間位置の建物躯体に取り付けられた金具３２に支持固定される。
建物ユニット１０の棟側端部には２本の束３５が取り付けられ、これらの束３５の上端部には受け部３６がそれぞれ設けられている。これらの受け部３６は、屋根パネル２０Ｐの図示しないブラケットに支持固定される。
他の屋根パネル２０は屋根パネル２０Ｐと同様に、図示しない束や金具を介して建物ユニット１０の建物躯体に支持固定されている。
【００２３】
次に、第１実施形態の傾斜屋根２を施工する方法を説明する。
建物ユニット１０、屋根パネル２０，２０Ｐ及び束３５等は、工場にて製造しておき、これらの部品を建築現場までトラックで搬送する。
その後、建築現場では、基礎の上に複数の建物ユニット１０を組み合わせて建物本体１を施工し、この建物本体１の上に束３５等を用いて屋根パネル２０，２０Ｐを並べて配置し、傾斜屋根２を施工する。
【００２４】
ここで、屋根パネル２０Ｐを、その一辺２０Ｑを棟線２１，２２が直交する部分に形成される入隅に配置するとともに、他の一辺２０Ｒを傾斜屋根２の登り棟に沿って配置し、その支持部分３３Ａ，３３Ｂ，３３Ｃを金具３０〜３２に支持させ、図示しないブラケットを束３５に支持させる。
【００２５】
従って、第１実施形態によれば次のような作用効果を奏することができる。
（１）平面Ｌ字型の傾斜屋根２の入隅部分であっても、その屋根パネルを分割することなく１枚の屋根パネル２０Ｐから形成したので、傾斜屋根２の部品点数が減少し、部材の管理、製造、搬送の手間を低減することができ、屋根パネルの取付作業の作業効率を向上することができる。
（２）入隅近傍部分及び登り棟近傍部分だけでなく、これらの中間位置にも屋根パネル２０Ｐに支持部分３３Ａ，３３Ｂ，３３Ｃを形成したから、屋根パネル２０Ｐの安定した支持が可能になって、通常の屋根の支持構造と同様の剛性を得ることができる。
【００２６】
（３）一体化された屋根パネル２０Ｐの裏面全体にわたって支持材３３を取り付けたので、屋根パネル２０Ｐの大きさに応じた所定の剛性を得ることができ、部品点数を減少することができる。
（４）支持材３３に支持部分３３Ａ，３３Ｂ，３３Ｃを形成したので、部品の共通化が図れ、この点からも、部品点数を減少させることができる。
【００２７】
次に、本発明の第２実施形態を図４ないし図６を参照して説明する。なお、第２実施形態において、第１実施形態と同一若しくは同様の構成部材には、同一の符号を用い、説明を省略または簡略にする。
図４及び図５には第２実施形態の全体構成が示されている。
図４及び図５において、傾斜屋根１２は、棟線２１，２２が二方向に延びており、異なる高さで配置されており、これらの棟線２１，２２を接続する登り棟線２３が形成されている。
【００２８】
傾斜屋根１２の屋根面３は、複数の屋根パネル２０，２０Ｇで形成されている。これらの屋根パネル２０，２０Ｇは、それぞれトラックで搬送可能な大きさ、つまり、輸送制限を満たすものである。
大部分の屋根パネル２０は、ほぼ標準的な形状の屋根パネル２０を使用することによって対応できる。異なる高さの稜線を結ぶ屋根パネル２０Ｇでは、屋根パネル２０の一辺２０Ａが棟線２１，２２が交差する部分において前記異なる高さの各棟線を結ぶ登り棟線２３に沿って配置され、他の一辺２０Ｂが低い棟線２２に沿って配置されている。その他の辺２０Ｃは、登り棟に沿って配置され、２０Ｄ及び２０Ｅは棟線２１に直角に屋根面３に沿って配置され、辺２０Ｆは、軒先に沿うように配置される。
【００２９】
屋根パネル２０Ｇの取付構造が図６に示されている。
図６において、屋根パネル２０Ｇは、その裏面の棟側と桁側とに、それぞれ水平方向の全幅にわたって連続した補強材４０を有する。
補強材４０は剛性を有する材料、例えば、鉄等から板状に形成されたものである。
これらの補強材４０と支持部分３０，３２，３４を介して屋根パネル２０Ｇが建物本体１に支持される。
支持部分３０，３２は桁側の補強材４０の両端部を支持する金具である。
支持部分３４は、棟側の補強材４０の両端部を支持するものであり、束３５と、この束３５の上端部に形成され補強材４０を受ける受け部３６と、束３５の下部に設けられ建物本体１の建物躯体部分である天井梁に取り付けられる支持プレート３７とを有する。
【００３０】
次に、第２実施形態にかかる傾斜屋根１２を施工する方法を説明する。
まず、第１実施形態と同様に、建物ユニット１０、屋根パネル２０，２０Ｇ及び束３４等を、工場にて製造しておき、これらの部品を建築現場までトラックで搬送する。
その後、建築現場では、基礎の上に複数の建物ユニット１０を組み合わせて建物本体１を施工し、この建物本体１の上に屋根パネル２０，２０Ｇを並べて配置し、傾斜屋根１２の屋根面３を形成する。
【００３１】
ここで、屋根パネル２０Ｇを、その一辺を異なる高さの棟線２１，２２を結ぶ登り棟線２３に沿って配置するとともに、他の一辺を各棟線２１，２２の低い棟線２２に沿って配置し、かつ、その水平方向の全幅にわたって連続した補強材４０を介して建物本体１に支持する。
【００３２】
このような第２実施形態によれば、次の作用効果を奏することができる。
（５）棟線２１，２２が交差する部分に配置される屋根パネル２０Ｇは、その一辺２０Ａが異なる高さの各棟線２１，２２を結ぶ登り棟線２３に沿って配置され、他の一辺２０Ｂが棟線が各棟線２１、２２の低い棟線２２に沿って配置されるようにしたので、交差方向の各棟線の高さが異なる特殊形状の傾斜屋根１２でも一体化した屋根パネル２０Ｇを使用することによって部品の数を減少させることができる。そのため、種々の形状をとる屋根にも対応することができ、屋根パネル２０，２０Ｇの作業効率を向上させることができる。
（６）屋根パネル２０Ｇは、水平方向の全幅にわたって連続した補強材４０を有するので、この屋根パネル２０Ｇを搬送したり、建物本体１に取り付ける場合でも、破損等することがない。
（７）屋根パネル２０Ｇの補強材４０で屋根の補強を行うことができるので、この点からも、部品点数を減少させることができる。
【００３３】
なお、本発明は前述した実施の形態に限定されるものではなく、本発明の目的を達成できる範囲での変形、改良等は本発明に含まれるものである。
例えば、前記各実施形態では、Ｌ字型に曲がった屋根形状を示したが、他の形状の屋根であってもよい。
また、建物本体１を複数の建物ユニット１０を組み合わせて構成したが、建物本体１の構成は、軸組工法、パネル工法、在来工法で施工されるものであってもよい。
また、支持パネル用の支持部における束の構造、束の数、束の位置は、使用する屋根パネルによって選択できるものである。
【００３４】
【発明の効果】
以上述べたように、本発明によれば、次のような効果がある。
すなわち、請求項１に記載の本発明によれば、少なくとも二方向の棟線が交差配置される傾斜屋根であって、屋根面が複数の屋根パネルで形成されるとともに、前記屋根パネルの１つは、平面五角形とされ、第一の一辺が前記棟線が交差する部分に形成される入隅に配置されるとともに、第二の辺が前記傾斜屋根の登り棟に沿って配置され、第三の辺が第二の辺と連続して棟線に延びるように配置され、第四の辺が第三の辺に直交し、前記傾斜屋根の屋根面に沿って、第三の辺と第一の辺とを繋ぐように配置され、第五の辺が第一の辺と連続して桁側に配置されて、前記屋根パネルの１つの軒先を形成し、前記軒先側は、前記第一の辺と前記第四の辺の交差部分である前記入隅近傍部分及び前記登り棟近傍部分に支持部分を有するとともに、これらの入隅近傍部分及び登り棟近傍部分の中間位置にも支持部分を有し、前記各支持部分は、前記屋根パネル裏面に固定された棒状の支持材に配列される構成であるため、屋根の形状に応じて屋根パネルを分割することなく、一体化できる部分は一体化することにより、従来に比べて部品点数を減少し、部材の管理、製造、搬送の手間を低減することができる。さらに、屋根の施工にあたっては、屋根パネルの取付作業の作業効率を向上することができる。
【００３５】
さらに請求項１に記載の本発明によれば、前記各支持部分は、前記屋根パネル裏面に固定された棒状の支持材に配列される構成としたので、一体化された屋根パネルの裏面全体にわたって支持材が固定されているため、屋根パネルが大きくなっても支持材そのものも大きくすることができ、屋根パネルの大きさに応じた剛性を得ることができる。
【００３８】
また、請求項２記載の本発明によれば、少なくとも二方向の棟線が交差配置される傾斜屋根の施工方法であって、建物本体の上に複数の屋根パネルを並べて屋根面を形成し、前記屋根パネルの一つを、平面五角形とし、第一の一辺を前記棟線が交差する部分に形成される入隅に配置するとともに、第二の辺を前記傾斜屋根の登り棟に沿って配置し、第三の辺を第二の辺と連続して棟線に延びるように配置し、第四の辺を第三の辺に直交し、前記傾斜屋根の屋根面に沿って、第三の辺と第一の辺とを繋ぐように配置し、第五の辺を第一の辺と連続して桁側に配置して、前記屋根パネルの１つの軒先を形成させ、前記軒先側は、前記第一の辺と前記第四の辺の交差部分である前記入隅近傍及び前記登り棟近傍の支持部分と、これらの入隅近傍部分及び登り棟近傍部分の中間位置の支持部分とを前記屋根パネル裏面に固定された棒状の支持材に配列し、前記屋根パネルの一つの軒先側を、前記入隅近傍部分及び登り棟近傍部分の中間位置の支持部分を介して前記建物本体に支持する構成としたので、請求項１記載の発明と同様の作用効果を奏することができる。
【図面の簡単な説明】
【図１】本発明の第１実施形態にかかる傾斜屋根が適用された建物全体を示す斜視図である。
【図２】第１実施形態の傾斜屋根が適用された建物全体の平面図である。
【図３】第１実施形態の屋根パネルの建物本体への取付構造を示す分解斜視図である。
【図４】本発明の第２実施形態にかかる傾斜屋根が適用された建物全体を示す斜視図である。
【図５】第２実施形態の傾斜屋根が適用された建物全体の平面図である。
【図６】第２実施形態の屋根パネルの建物本体への取付構造を示す分解斜視図である。
【図７】従来例の傾斜屋根が適用される建物全体の平面図である。
【図８】従来例の屋根パネルの建物本体への取付構造を示す分解斜視図である。
【図９】異なる従来例の傾斜屋根が適用される建物全体の平面図である。
【図１０】異なる従来例の屋根パネルの建物本体への取付構造を示す分解斜視図である。
【符号の説明】
１                      建物本体
２，１２                傾斜屋根
３                      屋根面
１０                    建物ユニット
２０，２０Ｇ，２０Ｐ    屋根パネル
２１，２２              棟線
３０Ａ，３０Ｂ，３０Ｃ  支持部分
４０                    補強材
【図１】
0004851653.tif 000002
【図２】
0004851653.tif 000003
【図３】
0004851653.tif 000004
【図４】
0004851653.tif 000005
【図５】
0004851653.tif 000006
【図６】
0004851653.tif 000007
【図７】
0004851653.tif 000008
【図８】
0004851653.tif 000009
【図９】
0004851653.tif 000010
【図１０】
0004851653.tif 000011